(57)【要約】      （修正有）【課題】抗菌性と同時に、意匠性を備えた内装を持つ家電製品、およびこれに用いる内装材を提供する。【解決手段】外観を構成する家電機器本体の、箱体の内部に抗菌効果を持った含漆塗料を有する塗膜層が形成された内装材３０は、複数の塗膜層３２〜３４を形成し、塗膜層のうち最外層の含漆塗膜層３４は、紫外線硬化型含漆塗料を主成分とする漆塗料で形成した構成としてある。これにより、含漆塗料による抗菌性を備えると同時に、一般的な内装材では表現できない、艶や深み感等をもつ高い意匠性を持った、内装を備えた家電製品を提供することができる。【選択図】図３
2016211786.tif 000002
【特許請求の範囲】
【請求項１】
内箱と外箱とで構成された箱体と、箱体開口部に設けられた扉を備え、箱体の内部に抗菌効果を持った含漆塗料を有する塗膜層が形成された内装部材を備えた家電機器。
【請求項２】
外箱または扉の外装側に含漆塗料を有する塗膜層が形成された外装部材を備えた請求項１に記載の家電機器。
【請求項３】
前記塗装膜が紫外線硬化型含漆塗料を主成分とする請求項１または２に記載の家電機器。
【請求項４】
前記内装部材が前記箱体に着脱可能に形成された請求項１から３のいずれか一項に記載の家電機器。
【請求項５】
前記箱体の内部に載置棚を備え、前記内装部材が前記載置棚の少なくとも一部を構成した請求項１から５のいずれか一項に記載の家電機器。
【請求項６】
前記箱体の内部に収納容器を備え、前記内装部材が前記収納容器の少なくとも一部を構成した請求項１から５のいずれか一項に記載の家電機器。
【請求項７】
前記箱体の内部に冷却板を備え、前記内装部材が前記冷却板の少なくとも一部を構成した請求項１から６のいずれか一項に記載の家電機器。
【請求項８】
前記内装部材が前記内箱と一体に形成された請求項１から７のいずれか一項に記載の家電機器。
【請求項９】
前記塗膜層を含む複数塗膜層が前記内装部材に形成され、前記複数塗膜層の少なくとも一つが光加輝材を有する請求項１から８のいずれか一項に記載の家電機器。
【請求項１０】
前記箱体の内部に抗菌装置が備えられた請求項１から９のいずれか一項に記載の家電機器。
【請求項１１】
前記箱体の内部に冷却装置が備えられた請求項１から１０のいずれか一項に記載の家電機器。
【請求項１２】
前記箱体の内箱と外箱の間に断熱材が備えられた請求項１１に記載の家電機器。
【発明の詳細な説明】
【技術分野】
【０００１】
本発明は、冷蔵冷凍・調理・家事・美容・医療等を対象とした家電製品の各種の機器およびこれに用いる内装材に関するものである。
【背景技術】
【０００２】
一般に食品貯蔵や美容・医療品保管を主とする製品には、空間の内装材には清潔性が求められ、抗菌効果が付与されていることが多く、このような内装材は樹脂や金属など様々な基材が用いられる。
【先行技術文献】
【特許文献】
【０００３】
【特許文献１】特許第３４１５６４７号公報
【発明の概要】
【発明が解決しようとする課題】
【０００４】
しかしながらこのような従来の内装材の基材には清潔性を与えるような機能を備えていないため抗菌剤などを添加させるか、表面をコーティングさせて抗菌効果を与えることが一般的であるが、抗菌性の機能付与をおこない同時に意匠性を向上させることに課題があった。
【０００５】
本発明はこのような点に鑑みてなしたもので、抗菌性と同時に意匠性を備えた内装を持つ家電製品およびこれに用いる内装材の提供を目的としたものである。
【課題を解決するための手段】
【０００６】
上記目的を達成するため、本発明の家電機器は、内箱と外箱とで構成された箱体と、箱体開口部に設けられた扉を備え、箱体の内部に抗菌効果を持った含漆塗料を有する塗膜層が形成された内装部材を備えたものである。
【０００７】
これにより、含漆塗料による清潔性を備えると同時に、一般的な内装材では表現できない艶や深み感等をもつ高い意匠性を持った内装を備えた家電製品を提供することができる。
【発明の効果】
【０００８】
本発明によれば抗菌性と意匠性を両立した内装を持った家電機器を提供することができる。
【図面の簡単な説明】
【０００９】
【図１】本発明の実施の形態１における家電機器の一例としての冷蔵貯蔵庫の斜視図
【図２】同実施の形態１における冷蔵貯蔵庫の断面図
【図３】同実施の形態１における冷蔵貯蔵庫の内装材の拡大断面図
【図４】同実施の形態１における内装材の装飾例を示す正面図
【図５】（ａ）本発明の実施の形態２における内装材の拡大断面図、（ｂ）蒔絵部分の拡大正面図
【図６】本発明の実施の形態３における内装材の拡大断面図
【図７】本発明の実施の形態４における内装材の拡大断面図
【発明を実施するための形態】
【００１０】
第１の発明は、内箱と外箱とで構成された箱体と、箱体開口部に設けられた扉を備え、扉内側も含めた箱体内部に抗菌効果を持った含漆塗料を有する塗膜層が形成された内装部材を備えたものであり、一般的な抗菌材やフィルム装着品では表現できない艶と深み感等の意匠性をもち、抗菌性と意匠性を両立した内装材をもった家電機器にすることができ、貯蔵食品や美容品・医療品を安心して貯蔵・保管しながら内装の高い意匠性によって見る楽しさを感じさせることができる。
【００１１】
第２の発明は、第１の発明において、外箱または扉の外装側に含漆塗料を有する塗膜層が形成された外装部材を備えたものであり、一般的な塗装やフィルム装着等では表現できない艶と深み感等の意匠性のある外観を持った機器とすることができ、内装と外装の両面から抗菌性と意匠性を備えた商品を提供することができる。
【００１２】
第３発明は、第１または第２の発明において、前記塗装膜が紫外線硬化型含漆塗料を主成分としたものであり、一般的な塗装やフィルム装着等では表現できない艶と深み感等の意匠性を兼ね備えた抗菌効果をもった内装材を、短時間に、かつ低価格で提供することができる。
【００１３】
第４発明は、第１から第３のいずれかの発明において、内装部材が前記箱体に着脱可能に形成されたことにより、使用時に内装部材に付着した汚れを取り外して清掃することができ、長期的な清潔性の確保をおこなうことができる。
【００１４】
第５発明は、第１から第４のいずれかの発明において、前記箱体の内部に載置棚を備え、前記内装部材が前記載置棚の少なくとも一部を構成したことにより、載置対象物の接触面への抗菌性と、載置棚への意匠性を同時に与えることができる。
【００１５】
第６発明は、第１から第５のいずれかの発明において、前記箱体の内部に収納容器を備え、前記内装部材が前記収納容器の少なくとも一部を構成したことにより、収納対象物の接触面への抗菌性と、収納容器への意匠性を同時に与えることができる。
【００１６】
第７発明は、第１から第６のいずれかの発明において、前記箱体の内部に冷却板を備え、前記内装部材が前記冷却板の少なくとも一部を構成したことにより、低温保管が必要な対象物への抗菌性と、意匠性を備えた冷却板に載置することができる。
【００１７】
第８発明は、第１から第７のいずれかの発明において、前記内装部材が前記内箱と一体に形成されたことにより、箱体内部の空間全体を抗菌性と意匠性を与えることができる。
【００１８】
第９発明は、第１から第８のいずれかの発明において、前記塗膜層を含む複数塗膜層が前記内装部材に形成され、前記複数塗膜層の少なくとも一つが光加輝材を有することにより、艶と深み感とともに鮮やかさも持たせることができ、機器の意匠性をさらに向上させることができる。
【００１９】
第１０発明は、第１から第９のいずれかの発明において、前記箱体の内部に抗菌装置が備えられたことにより、内装部材が接触できない貯蔵庫の空間全体の抗菌効果を高めることができる。
【００２０】
第１１発明は、第１から第１０のいずれかの発明において、前記箱体の内部に冷却装置が備えられたことにより、箱体内部の空間全体を低温状態にすることで菌の繁殖を抑制することができ、抗菌効果をさらに高めることができる。
【００２１】
第１２発明は、第１１の発明において、前記箱体の内箱と外箱の間に断熱材が備えられ
たことにより、前記冷却装置による冷却での箱体内部空間の温度を安定して維持できるとともに、使用エネルギーの抑制を図ることができる。
【００２２】
以下、本発明の実施の形態について、図面を参照しながら説明する。なお、この実施の形態では家電機器として冷蔵貯蔵庫を例にして説明するが、これに限られるものではないし、装飾内装材の構成もこの実施の形態のみに限定されるものでもない。
【００２３】
（実施の形態１）
図１は本発明の実施の形態１における冷蔵貯蔵庫の斜視図、図２は同実施の形態１における冷蔵貯蔵庫の断面図である。
【００２４】
図１および図２において、冷蔵貯蔵庫本体１に冷蔵温度に調節された貯蔵室を有し、その前面にそれぞれ開閉自在な扉２が設けてある。冷蔵貯蔵庫本体１は外箱３と内箱４によって構成されており、内部の空間には発泡ウレタンや発泡スチロール等の断熱材５が備えられている。扉２の貯蔵室側には貯蔵室の密閉性を確保するためのパッキン６が設けられている。
【００２５】
密閉状態に保たれた冷蔵貯蔵庫本体１の内部に冷却装置２１と抗菌装置２２が設置されており、これを送風ファン２３によって冷却装置２１や抗菌装置２２の全面に配置された装置カバー２４の送風孔から貯蔵庫の内部空間を図２で示す矢印のように循環させている。
【００２６】
また、貯蔵室内には食品や化粧品などの貯蔵物を積載するための棚１１やケース１２が設置されている。ケース１２の底面には冷却プレート２６が設置されている。密閉ケース１３と密閉ケース１３を開閉可能にしたケース蓋１４が扉２の貯蔵室側に設けられている。
【００２７】
貯蔵室内の空間に露出している内箱４の貯蔵室面や、棚１１、ケース１２、密閉ケース１３、ケース蓋１４、装置カバー２４、冷却プレート２６、給水タンク、ドア棚等の表面には含漆塗膜が塗布されている。上記の各部品を形成する構成部材は形状や材料が異なるが、本発明においては総じて内装材３０と称する。
【００２８】
図３に示すように、内装材３０は、内装基材３１の表面に第１塗膜層３２、その上側に第２塗膜層３３、最外装面に含漆塗膜層３４が層を重ねて塗布されている。第１塗膜層３２と第２塗膜層３３との間には蒔絵や箔等の加飾層３５が設けられている。
【００２９】
一般に漆塗装は、その表面に特有の艶や深みがあり、年月を経るに従ってますますその深みが加わるという特徴があるが、高湿度雰囲気下で長時間乾燥させる必要があり、しかも、湿度と温度の管理に細心の注意を必要とし、生産性が悪いという課題を有している。これは漆中に含まれる酵素（ラッカーゼ）によるウルシオールの脱水素反応及び空気中の酸素による自動酸化によるためで、反応が遅いために塗装工程は多大な手間と時間がかかる作業となっている。
【００３０】
本発明においては、このような低い作業性を改善した含漆塗料、例えば、特許第２８２１１１０号公報や特許第３８３３２０２号公報に開示されているアクリル酸エステル骨核を有するモノマーまたはオリゴマーを含む光重合型漆塗料や漆印刷インキあるいは、特開平８−４１１６６号公報に開示されているカシューオイルのエポキシ誘導体より化学反応によりアクリル酸エステル誘導体に変換し、このモノマーからなる光重合型の含漆塗料、さらには特許第４８６８３９０号公報に開示されているカチオン重合性化合物、光重合開始剤、及び漆及びカシューオイルからなる群から選択された自動酸化塗膜成分を含有する
光硬化性含漆塗料が用いられている。
【００３１】
漆塗膜には、抗菌作用を有することが一般的に知られている。本発明においても抗菌作用を有した含漆塗膜が用いられており、含漆塗膜で覆われた内箱４の貯蔵室面や、棚１１、ケース１２、密閉ケース１３、ケース蓋１４は抗菌効果を有した状態で設置されている。これによって食品等を衛生的に保管できる。また、抗菌効果を有した密閉ケース１３にケース蓋１４を開閉するように設置することで貯蔵庫内の他食品等の影響を受けることなく保管することもできる。ケース１２の底面に設置した冷却プレート２６は食品等の載置物と接触することで空間内の冷却温度を感度高く伝えている。
【００３２】
また、冷却装置２１が送風ファン２３によって貯蔵庫内部を安定した温度に調節し、同時に抗菌装置２２から噴霧される微粒子を貯蔵庫に循環させることで、内装材の構成面と貯蔵庫空間の全体で抗菌効果を相乗的に高めている。
【００３３】
また、装置カバー２４にも含漆塗膜が塗布されており、送風循環によって空間内の空気に対して抗菌効果を与え、湿度が高くなりやすい冷却装置２１周辺や結露し易い吐出孔２５周辺部にも効果を発する。
【００３４】
図３は、光硬化性含漆塗料である漆液を１０％以上含んだ紫外線硬化型含漆塗料を主成分とする漆塗料を用いて構成し本発明の実施の形態１における内装材の拡大断面図である。
【００３５】
図３において、内装材３０の内装基材３１は、ガラス、合成樹脂板、ステンレスやアルミ等の金属製板、例えばこの実施の形態ではステンレス鋼板で構成している。この内装基材３１の表面は研磨や光沢保有材の追加工、または化学処理等によって光加輝処理が施してある。第１塗膜層３２は内装基材３１の光加輝処理面上に形成されたもので、無色透明もしくは着色したウレタン系樹脂塗料で形成してあり、この実施の形態ではベースとなる色で薄く着色してあるが、内装基材３１との密着性を確保する効果もある。また、蒔絵等の加飾層３５は、金粉、色粉、螺鈿、箔等で形成している。第２塗膜層３３は加飾層３５およびベース着色層となる第１塗膜層３２の上に形成されたもので、無色透明のウレタン系樹脂塗料で形成している。含漆塗膜層３４は第２塗膜層３３の上に形成されたもので、漆液を１０％以上含んだ紫外線硬化型含漆塗料を主成分とする漆塗料で形成している。
【００３６】
以上のような構成の内装材３０は、まず内装基材３１の表面を研磨や光沢保有材の追加工または化学処理等によって光加輝処理を施し、その表面にベース着色層となる第１塗膜層３２を塗布または印刷し、乾燥硬化させる。次に前記第１塗膜層３２の適所に金粉、色粉、螺鈿、箔等をまいて蒔絵と称される加飾層３５を形成する。この状態で前記加飾層３５および第１塗膜層３２の上に中塗りとなる第２塗膜層３３を形成する。その後、前記第２塗膜層３３の表面に紫外線硬化型含漆塗料を主成分とする漆塗料を塗装もしくは印刷し、この状態で紫外線を照射して乾燥硬化させ、完成する。
【００３７】
なお、内装材３０への塗膜層及び含漆塗膜層３４の形成は、内装部材として完成させる前の部品の段階でおこなっても、あるいは加工形成する前の平板状態でおこなっても、完成させたのちに行ってもよいものであり、適宜選択すればよい。
【００３８】
このようにして形成した内装材３０は紫外線硬化型含漆塗料を主成分とする漆塗料を用いて含漆塗膜層３４を形成しているから、紫外線を照射することによって数十秒程度で乾燥硬化させることができ、従来型の漆塗料を用いた場合に比べ格段にその生産性が向上し、量産が可能となる。しかも含漆塗膜層３４は数十秒程度で乾燥硬化させることができるから、漆塗料を数回重ね塗りして深み感を上げることができるとともに、数回重ね塗りし
てもその生産性は従来型の漆塗料を用いた場合に比べ優れたものとすることができる。
【００３９】
また、含漆塗膜層３４は密着性の高い第１塗膜層３２を介して形成してあるから内装基材３１が金属板であっても強固に接着保持されるようになり、十分な耐久性が確保できる。
【００４０】
特にこの実施の形態では第１塗膜層３２および第２塗膜層３３はともに接着力の強いウレタン樹脂で構成してあるから、より十分な接着耐久性を確保することができる。
【００４１】
また、上記ベース着色層となる第１塗膜層３２と第２塗膜層３３は、それぞれの樹脂材料や樹脂配合比を異ならせる、すなわちベース着色層となる第１塗膜層３２は内装基材３１の材料に対して接着力の大きい樹脂材料や樹脂配合比に、第２塗膜層３３は紫外線硬化型含漆塗料を主成分とする漆塗料と接着性がよくベース着色層となる第１塗膜層３２とも接着性の良い樹脂材料や樹脂配合比のものにすることができ、このようにすることによって、どのような材質の内装基材３１に対しても接着耐久性の高い内装材３０とすることができる。
【００４２】
また、ベース着色層となる第１塗膜層３２は加飾層３５を接着保持し第２塗膜層３３を施工するときに加飾層３５を構成する金粉や色粉が位置ずれするのを防止し蒔絵の図柄を精度の高いものとする一方、第２塗膜層３３は加飾層３５を覆っているので含漆塗膜層３４との接着面を加飾層３５と第１塗膜層３２との２種類の異なる材料ではなく第２樹脂塗膜層１８のみの単独材料、本実施の形態ではウレタン系樹脂塗料層のみの同質材料とすることにもなり、異種材料上に漆塗料を塗装等して形成する含漆塗膜層に比べその接着耐久性の信頼性をより高いものとすることができる。
【００４３】
さらに、内装基材３１の表面に第１塗膜層３２を形成しているので、これを本実施の形態のようにベース着色層とすることによって多種多様な色彩を持つ装飾内装材とすることができ、しかも例えば図４に示すように内装基材３１単体もしくは複数の内装基材３１連結で色の濃淡Ｘをつけたり、色の変化をつけたりするグラデーションを施したり、同図のＹに示すように濃淡Ｘの上層の加飾層３５での部分的な着色やグラデーションを施したり、同図のＺに示すように各扉間で一体的な模様（加飾層）をつけたりすることができる。
【００４４】
また、色の濃淡は前記ベース着色層となる第１塗膜層３２の着色を一定濃度としておいて紫外線硬化型含漆塗料を主成分とする漆塗料を部分的に何層も塗り重ねるなどして含漆塗膜層３４の膜厚を変えることによりつけることもできる。この場合は、含漆塗膜層３４の膜厚に応じて光の透過率が異なることから、外部から見たときに濃淡がついて見えるようになる。さらに上記濃淡等のグラデーションはベース着色層となる第１塗膜層３２の表面に着色粉を塗布して当該塗布量を変えることによっても形成することができ、この場合は濃淡に加え模様を形成することもでき、必要に応じて適宜選択すればよい。
【００４５】
さらに、内装基材３１の表面には光加輝処理を施してあるから、ベース着色層となる第１塗膜層３２を第２塗膜層３３と同様無色透明もしくは淡い色とすることによって、表面から見たときの含漆塗膜層３４の見栄えを鮮やかなものとすることができ、さらに質感の高いものとすることができる。
【００４６】
上記光加輝処理は本実施の形態で内装基材３１の表面を研磨や光沢保有材の追加工または化学処理等することによって形成しているが、これに限られるものではなく、最外層となる含漆塗膜層３４の下層側のいずれかの塗膜層に形成すればよく、例えば本実施の形態の場合ではベース着色層となる第１塗膜層３２もしくは第２塗膜層３３に金属粉等からなる光加輝材を添加して形成してもよいものである。
【００４７】
一方、上記のようにして形成された内装材３０は含漆塗膜層３４を形成する際、含漆塗膜層３４が数十秒程度で硬化するとはいうもののその上下端縁部では液だれのような状態を呈することがある。
【００４８】
したがってこのままの状態で使用すると見苦しいものが生じる懸念があるが、本実施の形態では内装材３０の端縁部は端部カバーを装着して覆うことで、液だれ等があってもこれが外部から見えることがなく、良好な見栄えを維持することもできる。
【００４９】
（実施の形態２）
図５（ａ）（ｂ）は実施の形態２における内装材の拡大断面図、拡大正面図である。なお、同図において実施の形態１と同じ部分には同一番号を付記して説明を省略し、異なる部分のみ説明する。
【００５０】
実施の形態２の内装材３０は、ベース着色層となる第１塗膜層３２の表面に形成した加飾層３５を複数層としたものである。すなわち、加飾層３５は例えば３５−１，３５−２，３５−３の３層で構成してあり、これらは金粉、色粉、螺鈿、箔等を用いて形成してある。さらにこの実施の形態では含漆塗膜層３４の表面にも第２加飾層３７が形成してある。
【００５１】
これによって、この内装材３０では、加飾層３５、例えば蒔絵が３５−１，３５−２，３５−３と重なっているため図柄に遠近感を出すことができる。加えて、含漆塗膜層３４の表面にも第２加飾層３７が形成してあるから、この３５−１，３５−２，３５−３の加飾層と第２加飾層３７との間でも遠近感を表現することができる。したがって、内装材３０の質感をより高いものとすることができる。
【００５２】
（実施の形態３）
図６は実施の形態３における内装材の拡大断面図である。なお、実施の形態１ないし２と同じ部分には同一番号を付記して説明を省略し、異なる部分のみ説明する。
【００５３】
実施の形態３の内装材３０は、第２塗膜層３３の更に表面側に第３加飾層３８を形成し、その上から第１塗膜層３２、第２塗膜層３３と同様のウレタン系樹脂塗料からなる中塗りとしての第３塗膜層３６を形成し、その表面に含漆塗膜層３４が形成してある。また、上記第３塗膜層３６はウレタン樹脂粒子の調整等によって光の屈折率が含漆塗膜層３４の屈折率よりも低くなるように設定してある。
【００５４】
これによって、この内装材３０では、含漆塗膜層３４と第３塗膜層３６との屈折率の違いにより深み感が増し、さらに質感の高いものとなる。しかも、含漆塗膜層３４の下層に屈折率の低い第３塗膜層３６が存在することによって、第２塗膜層３３あるいは、ベース着色層となる第１塗膜層３２、あるいは内装基材３１に形成した光加輝の層の反射を抑えて酷のある深み感を出すことができ、さらに質感を上げることができる。
【００５５】
（実施の形態４）
図７は実施の形態４における内装材の拡大断面図である。なお、同図においても実施の形態１ないし３と同じ部分には同一番号を付記して説明を省略し、異なる部分のみ説明する。
【００５６】
実施の形態４の内装材３０は、内装基材３１の表面にレーザー加工等によって凹部３９を形成し、その上にベース着色層となる第１塗膜層３２、加飾層３５、第２塗膜層３３、含漆塗膜層３４を形成したものである。
【００５７】
これによって、この内装材３０では、凹部３９の凹面による光の反射が含漆塗膜層３４の光屈折の仕方が見る角度によって異なるので、凹部３９で形成した模様の見え方に変化をつけることができて、さらに質感を向上させることができる。特に凹部３９に着色加工しておけば見え方の変化を鮮明なものとすることができ、効果的である。
【００５８】
以上、各実施の形態において、本発明の家電機器とこれに用いる内装材の一例を示したが、本発明は上記各実施の形態で例示した構成に限られるものではなく、各実施の形態の部分を組み合わせて形成したり、含漆塗膜層も複数層として形成してもよく、本発明の目的の範囲内で種々変更可能であることは言うまでもない。
【００５９】
また、上記各実施の形態では、内装基材３１をベースに各塗膜層および含漆塗膜層３４を形成したもので説明したが、内装基材３１を除く各塗膜層をフィルム状に形成し、内装基材３１に貼り付ける仕様としてもよい。この場合、各塗膜層の品質が均一化し、低コスト化を図ることができる。
【００６０】
また、内装材３０が樹脂の場合、上記漆塗料あるいは漆材を樹脂に予め練り込んで成形してもよい。この場合、漆の持つ抗菌効果を内装基材３１自身に保持させることができ、漆の質感と抗菌効果を内装材３０に容易に持たせることができる。
【００６１】
また、上記実施の形態で説明した内装材３０を用いた機器として冷蔵貯蔵庫を例示したが、これは電子レンジ、美容機器、医療機器、システムキッチン等の家庭家電機器、屋外持ち運び用の家電機器のようなものであってもよいものである。
【産業上の利用可能性】
【００６２】
本発明は抗菌性と意匠性を同時に備え持つ家電機器およびこれに用いる内装材に適応することが、冷蔵庫をはじめとする家庭家電機器、美容・医療各種機器に幅広く適用することができる。
【符号の説明】
【００６３】
１  冷蔵貯蔵庫本体（家電機器本体）
２  扉
３  外箱
４  内箱
１１  棚
１２  ケース
１３  密閉ケース
１４  ケース蓋
２１  冷却装置
２２  抗菌装置
２３  送風ファン
２４  装置カバー
２６  冷却プレート
３０  内装材
３１  内装基材
３２  第１塗膜層
３３  第２塗膜層
３４  含漆塗膜層
３５  加飾層
３６  第３塗膜層
３７  第２加飾層
３８  第３加飾層
３９  凹部
【図１】
2016211786.tif 000003
【図２】
2016211786.tif 000004
【図３】
2016211786.tif 000005
【図４】
2016211786.tif 000006
【図５】
2016211786.tif 000007
【図６】
2016211786.tif 000008
【図７】
2016211786.tif 000009